(57)【要約】【課題】複数本の電線がスプライス端子によって接続されたスプライス部を絶縁する作業工数を減らすことが可能なスプライス部の絶縁構造、ハーネス配置プレートおよび配線ユニットを提供する。【解決手段】複数本の電線１１がスプライス端子１３によって接続されたスプライス部１４の絶縁構造であり、前記スプライス部１４を囲って絶縁するスプライス収容部２９に、前記スプライス部１４が出入り可能な開放部２８が形成されるとともに、前記スプライス収容部２９に収容された前記スプライス部１４が前記開放部２８から離脱することを制限する離脱制限部３２が設けられている。【選択図】図５
2016111745.tif 000002
【特許請求の範囲】
【請求項１】
複数本の電線がスプライス端子によって接続されたスプライス部の絶縁構造であり、
前記スプライス部を囲って絶縁するスプライス収容部に、前記スプライス部が出入り可能な開放部が形成されるとともに、前記スプライス収容部に収容された前記スプライス部が前記開放部から離脱することを制限する離脱制限部が設けられているスプライス部の絶縁構造。
【請求項２】
前記スプライス収容部よりも幅が狭く形成されて前記電線が収容される電線収容部が設けられている請求項１に記載のスプライス部の絶縁構造。
【請求項３】
前記電線収容部に、前記電線の被覆を押さえる被覆押さえ部が設けられている請求項２に記載のスプライス部の絶縁構造。
【請求項４】
請求項１ないし請求項３のいずれか一項に記載のスプライス部の絶縁構造と、
前記電線を含むワイヤハーネスが配置されるハーネス配置部と、
を備えたハーネス配置プレート。
【請求項５】
自動変速機に組み付けられるものである請求項４に記載のハーネス配置プレート。
【請求項６】
前記電線を含むワイヤハーネスと、
請求項４または請求項５に記載のハーネス配置プレートと、
を備えた配線ユニット。
【発明の詳細な説明】
【技術分野】
【０００１】
本発明は、スプライス部の絶縁構造、ハーネス配置プレートおよび配線ユニットに関する。
【背景技術】
【０００２】
従来、スプライス端子を用いて複数本の電線を接続する技術が知られている（例えば下記特許文献１に記載）。スプライス端子は、金属板材をプレス加工等することで形成されたものである。スプライス端子を用いて複数本の電線を接続するには、各電線の被覆を一部除去して導体を露出させ、その露出された部分をスプライス端子内に配置し、その露出した導体にスプライス端子を圧着することでなされる。このようにして接続されたスプライス部には、例えば絶縁チューブを被せてタイバンドで固定したり、熱収縮チューブを被せ付ける等の絶縁手段が施される。
【先行技術文献】
【特許文献】
【０００３】
【特許文献１】特開２００９−２９５３３３号公報
【発明の概要】
【発明が解決しようとする課題】
【０００４】
しかしながら、上記のような絶縁手段では、絶縁チューブを被せ付ける作業とタイバンドを締め付ける作業とを行わなければならなかったり、また熱収縮チューブを被せ付ける作業と熱収縮チューブを加熱して収縮させる作業とをしなければならない等、作業工数がかかるため対策が望まれていた。
【０００５】
本発明は上記のような事情に基づいて完成されたものであって、複数本の電線がスプライス端子によって接続されたスプライス部を絶縁する作業工数を減らすことが可能なスプライス部の絶縁構造、ハーネス配置プレートおよび配線ユニットを提供することを目的とする。
【課題を解決するための手段】
【０００６】
本発明のスプライス部の絶縁構造は、複数本の電線がスプライス端子によって接続されたスプライス部の絶縁構造であり、前記スプライス部を囲って絶縁するスプライス収容部に、前記スプライス部が出入り可能な開放部が形成されるとともに、前記スプライス収容部に収容された前記スプライス部が前記開放部から離脱することを制限する離脱制限部が設けられているものである。
本発明のハーネス配置プレートは、前記スプライス部の絶縁構造と、前記電線を含むワイヤハーネスが配置されるハーネス配置部と、を備えたものである。
本発明の配線ユニットは、前記電線を含むワイヤハーネスと、前記ハーネス配置プレートと、を備えたものである。
【発明の効果】
【０００７】
本発明によれば、スプライス部をスプライス収容部に収容するだけの作業により、スプライス部がスプライス収容部内に保持されて絶縁されるから、チューブやタイバンド等を用いる場合に比してスプライス部を絶縁する作業工数を減らすことができる。
【図面の簡単な説明】
【０００８】
【図１】本実施例におけるハーネス配置プレートであって、機器に設置された状態を示す斜視図
【図２】配線ユニットが機器に設置された状態を示す平面図
【図３】ハーネス配置プレートを示す平面図
【図４】スプライス部の絶縁構造を示す断面図であって、図３のＡ−Ａ位置における断面に相当する断面図
【図５】スプライス部の絶縁構造を示す断面図であって、図４のＢ−Ｂ位置における断面に相当する断面図
【図６】スプライス部の絶縁構造を示す断面図であって、図４のＣ−Ｃ位置における断面に相当する断面図
【発明を実施するための形態】
【０００９】
本発明の好ましい形態を以下に示す。
本発明のスプライス部の絶縁構造は、前記スプライス収容部よりも幅が狭く形成されて前記電線が収容される電線収容部が設けられているものとしてもよい。このような構成によれば、電線の振れを制限することができるから、スプライス端子の根元付近で電線が断線することを防ぐことができる。
【００１０】
また、本発明のスプライス部の絶縁構造は、前記電線収容部に、前記電線の被覆を押さえる被覆押さえ部が設けられているものとしてもよい。このような構成によれば、被覆押さえ部によって電線が押さえられるから、スプライス端子の根元付近で電線が断線することをより確実に防ぐことができる。
また、本発明のハーネス配置プレートは、自動変速機に組み付けられるものとしてもよい。
【００１１】
＜実施例＞
以下、本発明を具体化した一実施例について、図１〜図６を参照しつつ詳細に説明する。
本実施例における配線ユニットＵは、車両に搭載された機器（本実施例では、自動変速機のコントロールユニット）４０に取り付けられ、変速動作に関連する制御の一部を行うものである。機器４０には、複数（本実施例では３つ）のソレノイドバルブ４１が備えられ、各ソレノイドバルブ４１の上部には、機器側コネクタ４２が配設されている。
【００１２】
配線ユニットＵは、ワイヤハーネス１０と、ワイヤハーネス１０が配置されるハーネス配置プレート２０とを備えている。
ワイヤハーネス１０は、図２に示すように、複数本の電線１１と、電線１１の端末部に接続されて機器側コネクタ４２に接続される複数の電線側コネクタ１２とを備えている。また、複数本の電線１１は、スプライス端子１３によって接続されている。スプライス端子１３によって接続される電線１１の端末部は被覆１１Ｈが除去され、筒状をなすスプライス端子１３に同方向から挿入され、スプライス端子１３が圧着されている。
【００１３】
ハーネス配置プレート２０は、合成樹脂等の絶縁材料により所定の形状に形成され、その大部分は、ワイヤハーネス１０が配置されるハーネス配置部２１とされている。
ハーネス配置プレート２０の外縁部には、ワイヤハーネス１０をハーネス配置プレート２０上に保持するべく、ハーネス用壁部２２が立設されている。ハーネス用壁部２２は、ハーネス配置プレート２０の外縁に沿って連続した壁状をなし、ソレノイドバルブ４１に対応する部分には、電線側コネクタ１２をハーネス配置プレート２０の外側に引き出すための開口部２３が設けられている。
【００１４】
また、ハーネス配置プレート２０の複数箇所にはボルト挿通孔２４が貫通形成され、配線ユニットＵは図示しないボルト等によって機器４０に固定される。
そして、ハーネス配置プレート２０には、スプライス端子１３によって接続された複数本の電線１１のスプライス部１４（スプライス端子１３および接続された電線１１の導体１１Ｄの露出部分を含む部分）を保持するスプライス保持部２５が設けられている。
【００１５】
スプライス保持部２５は、図２に示すように、ハーネス配置プレート２０の複数箇所（本実施例では２箇所）に設けられ、いずれもハーネス配置プレート２０の一部としてデッドスペースに設けられている。なお、２つのスプライス保持部２５は、略９０度異なる向きで配されている。
【００１６】
各スプライス保持部２５には、スプライス部１４の絶縁構造が備えられている。各スプライス保持部２５は、図４および図５に示すように、底壁２６と、底壁２６に立設された周壁２７とを備えている。周壁２７は、スプライス端子１３の前側（電線１１が延出する側とは反対側）に立つ前壁部２７Ｆと、スプライス端子１３の幅方向の両側に立つ一対の側壁部２７Ｓとを備え、底壁２６に対して略垂直に立設されている。周壁２７の高さ寸法は、図１に示すように、ハーネス用壁部２２と同等の高さ寸法とされ、ハーネス用壁部２２の一部がスプライス保持部２５の周壁２７の一部を兼ねている。なお、周壁２７の高さ寸法は、スプライス端子１３の高さ寸法よりも大幅に高いものとされている（図４参照）。
そして、スプライス保持部２５の上面側は略全体が開放され、スプライス部１４が出入り可能な開放部２８とされている。
【００１７】
スプライス保持部２５は、図３に示すように、一方向（スプライス端子１３からの電線１１の延出方向に沿う方向）に長い形状をなし、その長手方向の一端側の略半分はスプライス部１４を囲って絶縁するスプライス収容部２９、他端側の略半分は電線１１が収容される電線収容部３１とされている。
【００１８】
スプライス収容部２９は、平面視、スプライス端子１３を収容可能な大きさを有する長方形状をなし、電線収容部３１は、一対の側壁部２７Ｓの厚さ寸法を、スプライス収容部２９における一対の側壁部２７Ｓの厚さ寸法よりも大きくすることで、スプライス収容部２９よりも幅が狭く形成されている。電線収容部３１は、スプライス収容部２９の幅方向（短手方向）における略中心から長手方向に直線状に形成されている。なお、電線収容部３１の幅寸法は、２本の電線１１を並べたときの幅寸法と同等の寸法とされている。
【００１９】
スプライス収容部２９には、図５に示すように、スプライス収容部２９に収容されたスプライス部１４が開放部２８から離脱することを制限する離脱制限部３２が設けられている。
離脱制限部３２は、スプライス収容部２９に収容されたスプライス端子１３よりも上側に位置し、開放部２８を部分的に狭める構成をなしている。
【００２０】
離脱制限部３２は、一対の側壁に突設された一対の端子押さえ部３３を有している。一対の端子押さえ部３３は、スプライス収容部２９の短手方向の中心を挟んで対称な形状に形成されている。一対の端子押さえ部３３の先端部には、スプライス収容部２９へのスプライス部１４の収容動作を誘導する誘導部（以後、第１誘導部３４と称する）が設けられている。第１誘導部３４は、端子押さえ部３３の先端部の上面側に形成された傾斜面であり、先端（スプライス収容部２９の短手方向の中心）に向かって下がるように傾斜している。一対の端子押さえ部２２は、図３に示すように、スプライス収容部２９の長手方向における略中心に設けられ、開放部２８から離脱しようとするスプライス端子１３の長手方向の略中心を上方から押さえるものとされている。
【００２１】
電線収容部３１には、図６に示すように、電線１１の被覆１１Ｈを押さえる被覆押さえ部３５が設けられている。被覆押さえ部３５は、一対の側壁部２７Ｓのうち一方の側壁部２７Ｓに片持ち状に突設されている。被覆押さえ部３５の先端と他方の側壁部２７Ｓとの間には、スプライス端子１３によって接続された電線１１を上側から通すことが可能な間隔が開けられている。なお、その間隔は、１本の電線１１の幅寸法（外径）よりも若干小さく（被覆１１Ｈの厚さ分程度）されている。
【００２２】
そして、被覆押さえ部３５の先端部には、電線収容部３１への電線１１の収容動作を誘導する誘導部（以後、第２誘導部３６と称する）が設けられている。第２誘導部３６は、被覆押さえ部３５の先端部の上面側に形成された傾斜面であり、被覆押さえ部３５の先端に向かって下がる傾斜をなしている。なお、被覆押さえ部３５は、端子押さえ部３３よりも側壁部２７Ｓからの突出寸法が若干大きくされている（図３参照）。
【００２３】
次に、スプライス部１４を絶縁する作業の一例を説明する。
スプライス端子１３をスプライス収容部２９に、電線１１を電線収容部３１に収容するべく向きを合わせて、スプライス部１４をスプライス保持部２５に収容する。その際、スプライス端子１３は、一対の端子押さえ部３３の第１誘導部３４の傾斜によって、比較的スムーズに一対の端子押さえ部３３の間を通り、スプライス収容部２９に収容される。また、電線１１は、被覆押さえ部３５の第２誘導部３６の傾斜によって、比較的スムーズに被覆押さえ部３５と側壁部２７Ｓとの間の隙間を通り、電線収容部３１に収容される。
【００２４】
スプライス保持部２５に収容されたスプライス部１４は、底壁２６および周壁２７によって囲われて絶縁され、スプライス端子１３の上側に張り出した一対の端子押さえ部３３と、電線１１の上側に張り出した被覆押さえ部３５とによって、開放部２８から離脱することを制限される。
このようにしてスプライス部１４をスプライス保持部２５に収容する作業を各スプライス部１４について行うと、スプライス部１４を絶縁する作業が完了する。
【００２５】
なお、本実施例の配線ユニットＵにおいて、ソレノイドバルブ４１と略平行な向きのスプライス保持部２５から延出した２本の電線１１は、いずれも電線収容部３１の後端の近傍で略直角に屈曲され、１８０度異なる方向に延出している。また、ソレノイドバルブ４１と略直交する向きのスプライス保持部２５から延出した２本の電線１１は、１本が電線収容部３１の後端の近傍で略直角に屈曲され、１本がハーネス用壁部２２に沿って直線状に延出している。
【００２６】
次に、上記のように構成された実施例の作用および効果について説明する。
本実施例のスプライス部１４の絶縁構造は、スプライス部１４を囲って絶縁するスプライス収容部２９に、スプライス部１４が出入り可能な開放部２８が形成されるとともに、スプライス収容部２９に収容されたスプライス部１４が開放部２８から離脱することを制限する離脱制限部３２が設けられているものである。
【００２７】
この構成によれば、スプライス部１４をスプライス収容部２９に収容するだけの作業により、スプライス部１４がスプライス収容部２９内に保持されて絶縁されるから、チューブやタイバンド等を用いる場合に比してスプライス部１４を絶縁する作業工数を減らすことができる。
【００２８】
また、スプライス部１４の絶縁構造には、スプライス収容部２９よりも幅が狭く形成されて電線１１が収容される電線収容部３１が設けられている。この構成によれば、電線１１の振れを制限することができるから、スプライス端子１３の根元付近で電線１１が断線することを防ぐことができる。
【００２９】
また、電線収容部３１には、電線１１の被覆１１Ｈを押さえる被覆押さえ部３５が設けられている。この構成によれば、被覆押さえ部３５によって電線１１が押さえられるから、スプライス端子１３の根元付近で電線１１が断線することをより確実に防ぐことができる。
【００３０】
＜他の実施例＞
本発明は上記記述及び図面によって説明した実施例に限定されるものではなく、例えば次のような実施例も本発明の技術的範囲に含まれる。
（１）上記実施例では、被覆押さえ部３５が一対の側壁部２７Ｓのうち一方のみに突出されているが、これに限らず、被覆押さえ部を一対の側壁部の両方に設けてもよく、また、前後方向に複数設けても良い。
（２）上記実施例では、離脱制限部３２が一対の端子押さえ部３３を有しているが、これに限らず、離脱制限部は端子押さえ部を１のみまたは３以上有していても良く、また、前後方向に複数有していてもよい。
（３）上記実施例では、端子押さえ部３３が側壁部２７Ｓに設けられているが、これに限らず、端子押さえ部は、前壁部に設けても良い
（４）上記実施例では、離脱制限部３２が端子押さえ部３３を有しているが、これに限らず、離脱制限部はスプライス部が開放部から離脱することを制限可能な構造であればどのような構造であってもよく、例えば、スプライス収容部にヒンジで連結されて開放部を開閉可能な蓋部を有するものとしてもよい。
（５）上記実施例では、スプライス保持部２５を設ける位置、向き、および箇所数等を例示したが、これらは任意に変更することができる。
（６）上記実施例では、機器４０が自動変速機のコントロールユニットである場合について説明したが、これに限らず、本発明は、他の機器に取り付ける配線ユニットにも適用することができる。
（７）上記実施例では、スプライス部１４の絶縁構造を備えたスプライス保持部２５がハーネス配置プレート２０の一部として設けられている場合について説明したが、これに限らず、スプライス部の絶縁構造を備えたスプライス保持部を、独立した部品として形成してもよい。
（８）上記実施例では、電線１１の端末部にスプライス端子１３が圧着されているが、これに限らず、例えば、電線の端末部ではない中間部の一部がスプライス端子によって接続されていてもよく、また複数本の電線のうち一の電線の端末部と他の電線の中間部とが接続されていてもよい。このような場合には、電線収容部をスプライス収容部の前後両側に設けるものとしてもよい。
【符号の説明】
【００３１】
Ｕ…配線ユニット
１１…電線
１１Ｈ…被覆
１３…スプライス端子
１４…スプライス部
２０…ハーネス配置プレート
２１…ハーネス配置部
２８…開放部
２９…スプライス収容部
３１…電線収容部
３２…離脱制限部
３５…被覆押さえ部
【図１】
2016111745.tif 000003
【図２】
2016111745.tif 000004
【図３】
2016111745.tif 000005
【図４】
2016111745.tif 000006
【図５】
2016111745.tif 000007
【図６】
2016111745.tif 000008